(57)【要約】【課題】小さな力で容易に開封できると共に、容器本体内の充填物が勢い余って一挙に噴き出て飛散することがないポーション容器の提供を図る。【解決手段】フランジ部の上面に開口部を形成し、該フランジ部の一部が一側方に延出した折曲破断部によって破断される舌片部を有する容器本体と、フランジ部と外縁形状を同じくしてフランジ部に溶着されるシート状の蓋体とからなるポーション容器であって、開口部の周縁と舌片部の中心をなだらかに結ぶ溶着部を形成した手段と、開口部の周縁と舌片部の中心をなだらかな周回経路で結ぶ溶着部を形成し、開口部と連通する凹部を溶着部の内側に設けると共に折曲破断部より外側に延出して設けた手段を採る。【選択図】図１
2010023925.tif 000002
【特許請求の範囲】
【請求項１】
フランジ部の上面に開口部を形成し、該フランジ部の一部が一側方に延出した折曲破断部によって破断される舌片部を有する容器本体と、前記フランジ部と外縁形状を同じくして前記フランジ部に溶着されるシート状の蓋体と、からなるポーション容器であって、前記開口部の周縁と前記舌片部の中心をなだらかに結ぶ溶着部を形成したことを特徴とするポーション容器。
【請求項２】
前記開口部の周縁と前記舌片部の中心をなだらかな周回経路で結ぶ溶着部を形成し、前記開口部と連通する凹部を前記溶着部の内側に設けると共に前記折曲破断部より外側に延出して設けたことを特徴とする請求項１記載のポーション容器。
【発明の詳細な説明】
【技術分野】
【０００１】
本発明は、コーヒー用ミルクやガムシロップ等が充填されるポーション容器に関する。
【背景技術】
【０００２】
従来の紅茶ならびにコーヒー用のミルクやガムシロップ、食品ジャム等の入ったポーション容器は、ポリプロピレンなどの熱可塑性樹脂製の容器が使用され、該上面開口部をアルミや合成樹脂製のシート状の蓋体で密封すると共に、剥離しやすくするための舌片部が設けられており、開封時にはこの舌片部を折り曲げ、さらにシート状の蓋体を引き上げて剥がすことにより容易に開封できる構造となっている。
【０００３】
しかしながら、このようなポーション容器にあっては、舌片部を折り曲げ、さらにシート状の蓋体を内側方向に引き上げて開けようとする場合、勢い余ってコーヒー用ミルクやガムシロップ等の充填物が外部に飛散したり、手や被服に付着してしまったり、テーブルの周りにこぼれたりする問題があった。
【０００４】
そこで、従来よりコーヒー用ミルクやガムシロップ等の充填物が開封時に一挙に噴き出て飛散することを防止するポーション容器に関する提案がなされている。例えば、容器本体の内側へ凹んでいた蓋が外側に膨らむことで圧力上昇を抑制して開封時に内容物が吹き出ないようにした「容器、容器の密封方法、および容器の密封装置」(特許文献1参照)や、上面開口部の第一の蓋に穴を設け、該穴が設けられた第一の蓋の上に剥離部分を有する第二の蓋を設けた「二重の蓋を有するプラスチック製の容器」(特許文献２参照)や、接着部に連なる補助接着部を開片部の両側位置に付加し、開片部の両側に容器本体に至る切り込み部を設けた「ミニカップ型液状物質保存容器」(特許文献３参照)などが提案されている。
【０００５】
前記「容器、容器の密封方法、および容器の密封装置」(特許文献1参照)においては、
容器本体を減圧状態にして充填することによって開封時に容器本体の圧力上昇を抑制する提案は、容器本体の内部圧と外部圧を同じくする手段を採っているに過ぎず、現実的に容器本体からシール蓋を剥離する際の力の入れ具合や開く勢いで充填物が噴出して飛散してしまう問題は解決されないでいた。
【０００６】
また、前記「二重の蓋を有するプラスチック製の容器」(特許文献２参照)においては、
上面開口部の第一の蓋に穴を設け、該穴が設けられた第一の蓋の上に剥離部分を有する第二の蓋を設けた構造は、従来のポーション容器の構造に剥離部分を有する第二の蓋を新たに設けなければならず、さらに第一の蓋と第二の蓋を剥離する二重の手間を必要とするもので製品コストと利便性に問題を残すものであった。
【０００７】
また、前記「ミニカップ型液状物質保存容器」(特許文献３参照)においては、接着部に連なる補助接着部を開片部の両側位置に付加することによって、開片部の両側位置に、容器本体の開口部の回りに設けた接着部に連なる補助接着部を設け、前記開片部の両側に容器本体に至る切り込み部を設けたものは、開片部を剥がして開封を行う際に、補助接着部により開片部に連なる蓋体の他の部分の剥がれる範囲が制限されるとともに、切り込み部を利用して開片部をこの切り込み部に連なる限られた範囲で極めて容易に剥がすことができ、これにより、容器本体内の圧力変動は微小となり、開封時における液状物質の飛散を防止することができるものではあるが、開片部を内側方向に引き裂き、蓋体開片部を切り込み部で制約される一部の範囲に限って剥がし終えた状態は、見栄えが良くなく剥がす力も従来よりやや改善される程度であると共に、その場での剥がされた開片部の処分を考慮する必要性が生まれるものであった。
【０００８】
上記の問題点を解決する手段としては、開封時に際して容器内の圧力を外圧と同じ状態にする手段と、溶着部の剥がす力を小さくするなどの手段が考えられるが、従来の商品においては、溶着部の初期接着力が強いと同時に、剥がす面積が広範囲に及ぶ構造を有しているため、開封時には充填物が外部に飛散しない様に剥がすことは慎重さを必要としていた。
【０００９】
従来より上記の問題点を解決しようと、野球帽を逆さまにした様な容器において蓋を容器に取り付ける時、つば部以外は円周に接着し、つば部分おいては、接着部をつばの先端方向へ湾曲させて湾曲接着部と押さえ部とを形成した「容器」(特許文献４参照)が提案されている。
【００１０】
上記「容器」(特許文献４参照)においては、主として、液体をいれる容器において蓋を開口する時に内容物が飛散して衣服等を汚したり、指から蓋への力の伝達が不安定であったが、容器を改良する事により内容物が飛散しない様にすると共に、指から蓋への力の伝達を安定したものにする提案ではあるが、つば部の大きさが、押さえ部とつまみ部を備えるため本体形状に対して異様な大きさを占めるものであって、利便性は高いものの製品化するには容器のデザイン性やパッケージング性に問題点を残すものであった。
【先行技術文献】
【特許文献】
【００１１】
【特許文献１】特開平１１−７９２４６号公報
【特許文献２】特開２００３−３００５５７号公報
【特許文献３】特開２００１−１３９０６１号公報
【特許文献４】特開平７−２１５３６４号公報
【発明の概要】
【発明が解決しようとする課題】
【００１２】
本発明は上記問題点を鑑み、小さな力で容易に開封できると共に勢い余って充填物が一挙に噴き出て飛散することがないポーション容器の提供を図る。
【課題を解決するための手段】
【００１３】
本発明は、フランジ部の上面に開口部を形成し、該フランジ部の一部が一側方に延出した折曲破断部によって破断される舌片部を有する容器本体と、フランジ部と外縁形状を同じくして容器本体に溶着されるシート状の蓋体とからなるポーション容器であって、開口部の周縁と舌片部の中心をなだらかに結ぶ溶着部を形成した手段を採る。
【００１４】
また、本発明は、開口部の周縁と舌片部の中心をなだらかな周回経路で結ぶ溶着部を形成し、開口部と連通する凹部を溶着部の内側に設けると共に折曲破断部より外側に延出して設ける手段を採る。
【発明の効果】
【００１５】
本発明のポーション容器によれば、開封時にシート状の蓋体を開口部の周縁と舌片部の中心をなだらかに結ぶ溶着部に沿って舌片部の初期剥し部から除々に力を入れて剥がすことにより、小さな力でも容易に開封できるとことから、充填物が勢い余って一挙に噴き出て飛散することがない構造を有するものである。
【００１６】
さらに、開口部と連通する凹部を溶着部の内側に設けると共に折曲破断部より外側に延出して設けることによって舌片部が破断した瞬間に開口部と外部圧が凹部によって連通し外部圧と内部圧が同じくなることから、開封時にシート状の蓋体を溶着部に沿って舌片部の初期剥し部から除々に力を入れて引き上げて剥がすことにより、充填物が勢い余って一挙に噴き出て飛散することがない構造を有するものである。
【図面の簡単な説明】
【００１７】
【図１】図１は、本発明におけるポーション容器の請求項1の実施形態を示す説明図である。（実施例１）
【図２】図２は、本発明におけるポーション容器の請求項２の実施形態を示す説明図である。（実施例２）
【図３】図３は、本発明におけるポーション容器と従来の容器の剥離状態を示す説明図である。（実施例３）
【図４】図４は、本発明におけるポーション容器の比較説明図である。（実施例４）
【図５】図５は、本発明におけるポーション容器の比較説明図である。（実施例５）
【図６】図６は、本発明におけるポーション容器の比較説明図である。（実施例６）
【発明を実施するための形態】
【００１８】
本発明は、フランジ部の上面に開口部を形成し、該フランジ部の一部が一側方に延出した折曲破断部によって破断される舌片部を有する容器本体と、フランジ部と外縁形状を同じくして容器本体に溶着されるシート状の蓋体とからなるポーション容器であって、開口部の周縁と舌片部の中心をなだらかに結ぶ溶着部を形成した手段と、開口部の周縁と舌片部の中心をなだらかな周回経路で結ぶ溶着部を形成し、開口部と連通する凹部を溶着部の内側に設けると共に折曲破断部より外側に延出して設けた手段を採ったことを最大の特徴とするもので、以下、実施例を図面を基に説明する。
【実施例１】
【００１９】
図１は、本発明におけるポーション容器の請求項1の実施形態を示す説明図である。
図(a)は全体斜視図を示す。図(b)は容器本体のみの平面図を示す。図(c)は縦断端面図を示す。
本発明における請求項１記載のポーション容器１０は、フランジ部２１の上面に開口部２２を形成し、該フランジ部２１の一部が一側方に延出した折曲破断部によって破断される舌片部２３を有する容器本体２０と、フランジ部２１の外縁形状を同じくして容器本体２０に溶着されるシート状の蓋体３０で構成される。
【００２０】
尚、本発明におけるポーション容器１０は、以下に述べる実施例に限定されるものではなく、特に外形形状や寸法ならびに材質は、本発明の趣旨に逸脱しない範囲で変更することができる。
【００２１】
容器本体２０は、紅茶ならびにコーヒー用のミルクやガムシロップ、食品ジャム等の充填物が入った略台形の収納容積を有するポーション容器で、ポリプロピレンなどの熱可塑性樹脂製の容器が使用され、該上面開口部２２をアルミや合成樹脂製のシート状の蓋３０で密封すると共に、剥離しやすくするための一側方に延出された舌片部２３が設けられており、開封時にはこの舌片部２３を折り曲げ、さらにシート状の蓋体３０を引き上げて剥がすことにより容易に開封できる構造となっている。
【００２２】
フランジ部２１は、容器本体２０の上面に鍔状に設けられるものでフランジ部２１の一部が一側方に延出して舌片部２３が設けられると共に、シート状の蓋体３０とフランジ部２１が溶着されて密封される構造である。
【００２３】
舌片部２３は、フランジ部２１の一部が一側方に延出し、折曲破断部２４で破断されるもので、開封時にはこの舌片部２３を折り曲げてシート状の蓋体を引き上げて剥がすことにより容易に開封できる構造となっている。
【００２４】
折曲破断部２４は、フランジ部２１の一部が一側方に延出した舌片部２３との中間位置に設けられるもので、切欠状の破断線をフランジ部２１の下方から切り欠いて形成され、舌片部２３を折り曲げて引き上げることによって破断されものである。
【００２５】
溶着部２５は、容器本体２０のフランジ部２１の上面の開口部２２の周縁と、舌片部２３の中心をなだらかに結んで折曲破断部２４の外側に形成されているため、開封時にシート状の蓋体３０を溶着部２５に沿って舌片部２３の初期剥し部２８から除々に力を入れて引き上げて剥がすことにより、小さな力でも容易に開封できることから、充填物Ｍが勢い余って一挙に噴き出て飛散することがない構造を有する。
【００２６】
蓋体３０は、アルミや合成樹脂製のシート状の蓋で形成され、容器本体２０のフランジ部２１の形状と外形形状を同じくして溶着され、密封されるものである。フランジ部２１の一側方に延出した舌片部２３から引き上げられて容器本体２０の開口部２２の周縁と舌片部２３の中心をなだらかに結ぶ溶着部２５とによって溶着されている。
【実施例２】
【００２７】
図２は、本発明におけるポーション容器の請求項２の実施形態を示す説明図である。
図(a)は全体斜視図を示す。図(b)は容器本体のみの平面図を示す。図(c)は縦断端面図を示す。
本発明における請求項２記載のポーション容器１０は、開口部２２の周縁と舌片部２３の中心をなだらかな周回経路で結ぶ溶着部２５を形成し、開口部２２と連通する凹部２６を周回経路で結んだ溶着部２５の内側に設けると共に、折曲破断部２４より外側に延出する構造を採ることにより、請求項１の構造に対して舌片部２３を折り曲げた瞬間に確実に容器内の内圧と容器外の気圧が同化する構造を有する。
【００２８】
溶着部２５は、容器本体２０のフランジ部２１の上端の開口部２２の周縁と舌片部２３の中心をなだらかな周回経路で結んで形成されているため、開封時にシート状の蓋体３０を溶着部２５に沿って舌片部２３の初期剥し部２８から除々に力を入れて引き上げて剥がすことにより、小さな力でも容易に開封できることから充填物Ｍが勢い余って一挙に噴き出て飛散することがない構造を有する。
【００２９】
凹部２６は、容器本体２０の開口部２２と連通し、溶着部２５の内側に設けると共に、折曲破断部２４より外側に延出して形成されるため、破断した瞬間に開口部２２と外部が凹部２６によって連通し外部圧Ｐと内部圧が同じくなることから、開封時にシート状の蓋体３０を溶着部２５に沿って舌片部２３の初期剥し部２８から除々に力を入れて引き上げて剥がすことにより、小さな力でも容易に開封できることから充填物Ｍが勢い余って一挙に噴き出て飛散することがない構造を有する。
【実施例３】
【００３０】
図３は、本発明におけるポーション容器と従来の容器の剥離状態を示す説明図である。
図(a)は本発明におけるポーション容器の請求項１記載の平面図を示す。
溶着部２５は、容器本体２０のフランジ部２１の上面の開口部２２の周縁と、舌片部２３の中心をなだらかに結んで形成されているため、開封時にシート状の蓋体３０を溶着部２５に沿って舌片部２３の初期剥し部２８から一直線状に力を集約して開口部２２の周縁に設けられる溶着部２５に向かって除々に剥がすことにより、小さい力でもシート状の蓋体３０を引き上げて剥がすことができることから、充填物Ｍが勢い余って一挙に噴き出て飛散することがない構造を有する。
【００３１】
図(b)は本発明におけるポーション容器の請求項２記載の平面図を示す。
開口部２２の周縁と舌片部２３の中心をなだらかな周回経路で結ぶ溶着部２５を形成し、開口部２２と連通する凹部２６を溶着部２５の内側に設けると共に、破断折曲部２４より外側に延出して形成されているため、破断した瞬間に開口部２２と外部が凹部２６によって連通し外部圧Ｐと内部圧が同じくなることから、開封時にシート状の蓋体３０を溶着部２５に沿って舌片部２３の初期剥し部２８から短絡的に力を集約して開口部２２の周縁に設けられる溶着部２５に向かって除々に引き上げて剥がすことにより、小さい力でもシート状の蓋体３０を剥がすことができることから充填物Ｍが勢い余って一挙に噴き出て飛散することがない構造を有する。
【００３２】
図(ｃ)は先行技術文献 (特許文献４)の容器の平面図を示す。
開封（剥離）する力は、本発明によるポーション容器１０と従来のポーション容器の中間位の力で開封することができるが、つば部の大きさから得られる開封時の効果は、差程大きいものではなく、図を見ても分かる様にむしろその大きさが商品化に当たってのパッケージング性に問題を残すものである。
【００３３】
図(ｄ)は従来の容器の平面図を示す。
舌片部２３を折曲げ、シート状の蓋体３０を溶着部２５に沿って除々に引き上げることにより、容器本体２０の開口部２２の周縁を溶着している溶着部２５の外周面を同時に且つ一律に剥離しようとするため、大きな力を必要とし、さらに溶着部２５が舌片部２３のスポット溶着部２９と開口部２２の周縁の溶着部２５と離れて設けられていることによって、舌片部２３を折り曲げ、蓋体３０を内側方向に引き上げて開けようとする場合、広い範囲に力が分散してしまうため、上記同様大きな力を必要とするもので、充填されているコーヒー用ミルクやガムシロップ等が勢い余って外部に飛散し、手や被服に付着してしまったり、テーブルの周りにこぼれたりしてしまう構造である。
【実施例４】
【００３４】
図４は、本発明におけるポーション容器の比較説明図である。
本発明におけるポーション容器１０は、前述の先行技術文献「容器」(特許文献４参照)の野球帽を逆さまにした様な容器において蓋を容器に取り付ける時、つば部以外は円周に接着し、つば部分おいては、接着部をつばの先端方向へ湾曲させて湾曲接着部と押さえ部とを形成した提案と類似点が多いことから下記に主な相違点を上げて比較説明する。
【００３５】
図(a)は本発明におけるポーション容器の平面図を示す。
舌片部２３は、フランジ部２１の一部が一側方に最小限に延出した折曲破断部２４で破断されるもので、開封時にはこの舌片部２３を折り曲げ、さらにシート状の蓋体３０を引き上げて容易に剥がすことができるコンパクトな構造となっている。また、溶着部２５は、容器本体２０のフランジ部２１の上端の開口部２２の周縁と、舌片部２３の中心をなだらかに結んで形成されているため、開封時にシート状の蓋体３０を溶着部２５に沿って舌片部２３の初期剥し部２８から一直線状に力を集約して開口部２２の周縁に設けられる溶着部２５を除々に剥がすことにより、小さい力でも開封時にシート状の蓋体３０を引き上げて容易に剥がすことができるため充填物Ｍが勢い余って一挙に噴き出て飛散することがない構造となっている。
【００３６】
図(b)は先行技術文献(特許文献４)の容器の平面図を示す。
つば部は、押さえ部とつまみ部が備えられるため、本体形状に対して異様な大きさを占めるものであって、製品化するには形状的に無理が生じるものであり、また接着部の形状は、本体容器の開口部の円周と接着部をつばの先端方向へ湾曲させて湾曲接着部を形成したものであるが、初期開口部から二本の接着部を同時に剥がさなければならず、単純に本発明によるポーション容器と比較して二倍の剥がす力が必要となるものである。
【実施例５】
【００３７】
図５は、本発明におけるポーション容器の比較説明図である。
図(a)は本発明におけるポーション容器の平面図を示す。
開口部２２の周縁と舌片部２３の中心をなだらかな周回経路で結ぶ溶着部２５を形成し、開口部２２と連通する凹部２６を溶着部２５の内側に設けると共に破断折曲部２４より外側に延出して形成されているため、舌片部２３を折り曲げた瞬間に容器本体２０の外部圧Ｐと内部圧が同じくなるため、必要以上にシート状の蓋体３０を押さえ込まなくて済む構造を有する。また、容器本体２０のフランジ部２１の上面の開口部２２の周縁と舌片部２３の中心をなだらかな周回経路で結ぶ溶着部２５を形成しているため、開封時にシート状の蓋体３０を溶着部２５に沿って舌片部２３の初期剥し部２８から直線状になだらかに力を集約して開口部２２の周縁に設けられる溶着部２５を除々に引き上げて剥がすことにより、小さい力でも開封時にシート状の蓋体３０を容易に剥がすことができることから充填物Ｍが勢い余って一挙に噴き出て飛散することがない構造を有する。
【００３８】
図(b)は先行技術文献(特許文献４)の容器の平面図を示す。
つば部は、押さえ部とつまみ部が備えられるため、本体形状に対して異様な大きさを占めるものであって、また接着部の形状は、本体容器の開口部の円周と接着部をつばの先端方向へ湾曲させて湾曲接着部を形成するもので、さらに入り江部の中にへこみを設けてフランジ部と蓋の間に入った充填物を指で押さえた時に逃がす目的で設けたものであるが、該へこみは、入り江部間に任意に点在して設けられていると共に、くぼみと積極的に連通していないため、外部圧をくぼみ内に引き込む役割を果たしておらず、本発明によるポーション容器１０と比較して開けた勢いで充填されているコーヒー用ミルクやガムシロップ等が外部に飛散し、手や被服に付着してしまったり、テーブルの周りにこぼれたりすることも有り得る構造を有する。
【実施例６】
【００３９】
図６は、本発明におけるポーション容器の比較説明図である。
図(a)は本発明における請求項２記載のポーション容器の開封時状態を示す説明図である。
開口部２２と連通する凹部２６を溶着部２５の内側に設けると共に折曲破断部２４より外側に延出して設けることによって破断した瞬間に外部と開口部２２が凹部２６よって連通し外部圧Ｐと内部圧が同じくなることから、開封時にシート状の蓋体３０を溶着部２５に沿って舌片部２３の初期剥し部２８から直線状になだらかに力を集約して開口部２２の周縁に設けられる溶着部２５を除々に剥がすことにより、小さい力でも開封時にシート状の蓋体３０を引き上げて容易に剥がすことができることから充填物Ｍが勢い余って一挙に噴き出て飛散することがない構造を有する。
【００４０】
図(b)は先行技術文献(特許文献４)の容器の開封時状態を示す説明図である。
つば部の大きさが、押さえ部とつまみ部が備えられるため、本体形状に対して異様な大きさを占めるものであって、製品化するには形状的に無理が生じるものであり、またつば部を押さえながら且つ、つまみ部を上方に引き上げて剥離する手段は、ユーザーに対して単に蓋を剥がす作業に対して煩わしさを与えるものであって、その動作説明も必要であることから商品化の可能性が低い提案であると言えるものである。
【００４１】
本出願人は、以上の事由により本発明におけるポーション容器は形状がコンパクトであること、小さい力で蓋体を剥がすことができること、凹部を設けることによって舌片部を破断した瞬間に外部圧Ｐと内部圧が同じくなること、などから開封時に充填物が一挙に噴き出て飛散することのない従来にないポーション容器の提供が図れるものと確信するものである。
【産業上の利用可能性】
【００４２】
本発明におけるポーション容器は、コーヒーフレッシュ用に限定されず、食品や果汁製品、ゼリー菓子などに使われるポーション容器として幅広く利用できるもので、本発明におけるポーション容器の産業上の利用可能性は極めて大であるものと解する。
【符号の説明】
【００４３】
１０  ポーション容器
２０  容器本体
２１  フランジ部
２２  開口部
２３  舌片部
２４  折曲破断部
２５  溶着部
２６  凹部
２７  外周部
２８  初期剥し部
２９  スポット溶着部
３０  蓋体
Ｍ  充填物
Ｐ  外部圧
【図１】
2010023925.tif 000003
【図２】
2010023925.tif 000004
【図３】
2010023925.tif 000005
【図４】
2010023925.tif 000006
【図５】
2010023925.tif 000007
【図６】
2010023925.tif 000008